(57)【要約】【課題】カバーとグロメットの端部との間における防水性を向上させる。【解決手段】一方のカバー２に開口部５を設け、開口部に電線挿通用の弾性の防水グロメット４を嵌合し、一方のカバーに他方のカバー３を接合して箱体６を構成し、他方のカバーを防水グロメットの端部に接する防水グロメットの取付構造で、他方のカバー３に、防水グロメットの端面９ａを押圧しつつ端面よりも深く入り込む延長リブ２０を突出形成した。防水グロメット４の端面９ａに交差する前端面１５をグロメット嵌合部３７の前端面１７ａに当接させ、延長リブ２０で防水グロメットの端面の後端寄りを押圧した。インナ部材２１のリブ２４を防水グロメットの後端面１８に当接させた。延長リブ２０に隣接して他方のカバー３に防水パッキン１１を設けた。上記防水グロメットの取付構造を備えた電気接続箱１を採用する。【選択図】図３
2006129545.tif 000002
【特許請求の範囲】
【請求項１】
一方のカバーに開口部が設けられ、該開口部に電線挿通用の弾性の防水グロメットが嵌合され、該一方のカバーに他方のカバーが接合されて箱体を構成し、該他方のカバーが該防水グロメットの端部に接する防水グロメットの取付構造において、該他方のカバーに、該防水グロメットの端面を押圧しつつ該端面よりも深く入り込む延長リブが突出形成されたことを特徴とする防水グロメットの取付構造。
【請求項２】
前記防水グロメットの端部が前記他方のカバーのグロメット嵌合部内に位置することを特徴とする請求項１記載の防水グロメットの取付構造。
【請求項３】
前記防水グロメットの端面に交差する前端面が前記グロメット嵌合部の前端面に当接し、前記延長リブが該防水グロメットの端面の後端寄りを押圧することを特徴とする請求項２記載の防水グロメットの取付構造。
【請求項４】
前記防水グロメットの内側に硬質のインナ部材が嵌合されたことを特徴とする請求項１〜３の何れかに記載の防水グロメットの取付構造。
【請求項５】
前記インナ部材のリブが前記防水グロメットの後端面に当接したことを特徴とする請求項４記載の防水グロメットの取付構造。
【請求項６】
前記延長リブに隣接して前記他方のカバーに防水パッキンが設けられたことを特徴とする請求項１〜５の何れかに記載の防水グロメットの取付構造。
【請求項７】
請求項１〜６の何れかに記載の防水グロメットの取付構造を備えたことを特徴とする電気接続箱。
【発明の詳細な説明】
【技術分野】
【０００１】
本発明は、箱体の開口部に電線挿通用の防水グロメットを嵌合させて外部から開口部内への水の浸入を防止させる防水グロメットの取付構造とそれを備えた電気接続箱に関するものである。
【背景技術】
【０００２】
図１１〜図１２は、従来の防水グロメットの取付構造とそれを備えた電気接続箱の一形態を示すものである（特許文献１参照）。
【０００３】
防水グロメット（以下グロメットと言う）６１は弾性のゴム材で形成され、蛇腹部６２と基端側の鍔部６３とを有し、内部にワイヤハーネス６４が挿通され、鍔部６３が電気接続箱Ｊのロアカバー６５の開口部６７に嵌合されて、電気接続箱Ｊの内側からワイヤハーネス６４が外部に導出され、グロメット６１によって外部から開口部内への水や塵等の侵入が防止される。
【０００４】
ロアカバー６５の開口部６７は略Ｕ字状に開口され、内周にグロメット６１の鍔部６３を嵌合させる溝部６８を有している。鍔部６３の上端面６９は平坦に形成され、且つ幅方向のリブ７０を有し、電気接続箱Ｊのアッパカバー６６に、鍔部６３の上端面６９に密着する水平な鍔部７１が突出形成され、鍔部７１内にパッキン７２を嵌合させる溝が形成され、リブ７０はパッキン７２に押接して鍔部６３の上端面側からの水等の侵入を防止する。
【０００５】
グロメット６１の内側には合成樹脂製の硬質で略筒状のインナ部材７３が嵌着され、弾性のグロメット６１をサポートしてロアカバー６５やアッパカバー６６に強く密着させる。インナ部材７３は係止爪７４でロアカバー６５に係止され、グロメット６１の浮き上がりが防止される。
【０００６】
グロメット６１の鍔部６３の上端面６９とリブ７０を山型状に突出させたり、インナ部材７３の上端面７５を山型に突出形成してグロメット６１の鍔部６３の上端面６９を山型に膨出させて、アッパカバー６６に対する防水性を高めた構造も特許文献１に開示されている。
【０００７】
電気接続箱Ｊは合成樹脂製のロアカバー６５とアッパカバー６６とロアカバー内に装着される配線板やバスバー回路やヒューズやリレー等の電気部品等とで構成される。ロアカバー６５とアッパカバー６６とで箱体が構成される。ワイヤハーネス６４を構成する複数本の電線はこれら配線板や回路や電気部品等に接続される。
【特許文献１】実開平４−８５５２５号公報（第８図，第１０図）
【発明の開示】
【発明が解決しようとする課題】
【０００８】
しかしながら、上記従来の防水グロメットの取付構造とそれを備えた電気接続箱にあっては、アッパカバー６６とグロメット６１の鍔部６３の上端面６９とが面接触で密着するために、例えばアッパカバー６６やグロメット６１の鍔部６３に傾きを生じたりした場合に、密着性が低下して水が浸入する危険性を生じたり、あるいは自動車のエンジンルーム内の高圧洗浄時にアッパカバー６６とグロメット６１の鍔部６３の上端面６９との間から水が浸入してしまうという心配があった。
【０００９】
なお、上記形態においてはグロメット６１の鍔部６３の上端面６９をアッパカバー６６に密着させたが、例えばグロメット６１を上下反転させて使用し、アッパカバーにグロメットの鍔部を嵌合させる開口部を設け、ロアカバーにグロメットの鍔部の下端面を密着させる場合や、ロアカバーとアッパカバーとの両方に開口部を連続して設け、ロアカバー又はアッパカバーにグロメットの鍔部の端面を密着させる等の場合においても、上記問題は同様に生じ得るものである。
【００１０】
本発明は、上記した点に鑑み、箱体に装着したグロメットの端部と箱体のカバーとの間における防水性を高めることのできる防水グロメットの取付構造とそれを備えた電気接続箱を提供することを目的とする。
【課題を解決するための手段】
【００１１】
上記目的を達成するために、本発明の請求項１に係る防水グロメットの取付構造は、一方のカバーに開口部が設けられ、該開口部に電線挿通用の弾性の防水グロメットが嵌合され、該一方のカバーに他方のカバーが接合されて箱体を構成し、該他方のカバーが該防水グロメットの端部に接する防水グロメットの取付構造において、該他方のカバーに、該防水グロメットの端面を押圧しつつ該端面よりも深く入り込む延長リブが突出形成されたことを特徴とする。
【００１２】
上記構成により、一方のカバーの開口部内にグロメットが嵌合され、一方のカバーに他方のカバーを接合させると同時に、他方のカバーの延長リブがグロメットを押圧し、延長リブの先端がグロメットに強く密着する。これにより防水性が高まる。
【００１３】
請求項２に係る防水グロメットの取付構造は、請求項１記載の防水グロメットの取付構造において、前記防水グロメットの端部が前記他方のカバーのグロメット嵌合部内に位置することを特徴とする。
【００１４】
上記構成により、一方のカバーに他方のカバーを接合し、他方のカバーの延長リブがグロメットを押圧した際に、グロメットが他方のカバーのグロメット嵌合部内に嵌合されているから、グロメットがグロメット嵌合部内で圧縮されてグロメット嵌合部の内壁面に強く密着する。これにより防水性が一層高まる。
【００１５】
請求項３に係る防水グロメットの取付構造は、請求項２記載の防水グロメットの取付構造において、前記防水グロメットの端面に交差する前端面が前記グロメット嵌合部の前端面に当接し、前記延長リブが該防水グロメットの端面の後端寄りを押圧することを特徴とする。
【００１６】
上記構成により、一方のカバーに他方のカバーを接合し、他方のカバーの延長リブがグロメットを押圧した際に、グロメットが、延長リブによる押圧方向と、押圧直交方向すなわちグロメットの前端面をグロメット嵌合部の前端面に当接させる方向とに圧縮され、グロメットの前端面すなわち外部から箱体内に水が浸入する側の部分がグロメット嵌合部の前端面に強く密着し、これにより防水性が高まる。
【００１７】
請求項４に係る防水グロメットの取付構造は、請求項１〜３の何れかに記載の防水グロメットの取付構造において、前記防水グロメットの内側に硬質のインナ部材が嵌合されたことを特徴とする。
【００１８】
上記構成により、一方のカバーに他方のカバーを接合し、他方のカバーの延長リブがグロメットを押圧した際に、グロメットが硬質のインナ部材との間で圧縮され、延長リブによるグロメットの押圧方向の撓み変形が小さく抑えられ、延長リブとグロメットとが一層強く密着する。また、延長リブによる押圧直交方向すなわちグロメットの前端面をグロメット嵌合部の前端面に当接させる方向に強く押圧されて、グロメットの前端面すなわち外部から箱体内に水が浸入する側の部分がグロメット嵌合部の前端面に一層強く密着する。これらにより防水性が高まる。
【００１９】
請求項５に係る防水グロメットの取付構造は、請求項４記載の防水グロメットの取付構造において、前記インナ部材のリブが前記防水グロメットの後端面に当接したことを特徴とする。
【００２０】
上記構成により、一方のカバーに他方のカバーを接合し、他方のカバーの延長リブがグロメットを押圧した際に、延長リブに近接してインナ部材のリブが位置し、グロメットの圧縮力をリブが受け止めてグロメットの圧縮反力でグロメットの前端面すなわち外部から箱体内に水が浸入する側の部分をグロメット嵌合部の前端面に強く当接させるから、防水性が高まる。
【００２１】
請求項６に係る防水グロメットの取付構造は、請求項１〜５の何れかに記載の防水グロメットの取付構造において、前記延長リブに隣接して前記他方のカバーに防水パッキンが設けられたことを特徴とする。
【００２２】
上記構成により、一方のカバーに他方のカバーを接合し、他方のカバーの延長リブがグロメットを押圧した際に、延長リブに隣接するグロメット部分が押圧反対方向に盛り上がり、防水パッキンに強く密着する。これにより防水パッキンによる防水性が向上する。
【００２３】
請求項７に係る電気接続箱は、請求項１〜６の何れかに記載の防水グロメットの取付構造を備えたことを特徴とする。
【００２４】
上記構成により、上記請求項１〜６の何れかに記載の発明の作用効果を奏する電気接続箱が提供される。電気接続箱において複数本の電線がグロメットを経てカバーの開口部から箱体内（接続箱本体内）に導入され、例えば箱体内のリレーやヒューズやヒュージブルリンク等の電気部品や、回路基板やバスバー等の回路等に接続される。請求項１〜６の何れかに記載の構成によって箱体内の電気部品や回路等が確実に防水されて電気的接続の信頼性が長期間に渡って確保される。
【発明の効果】
【００２５】
請求項１記載の発明によれば、他方のカバーの延長リブがグロメットを押圧し、延長リブの先端がグロメットに強く密着することで、従来の弱点であった他方のカバーすなわちグロメットを装着するカバーとは反対側のカバーとグロメットの端部との間における防水性が向上し、例えばエンジンルームの高圧洗浄や車両走行中の跳ね水等が箱体内に浸入する心配がなくなり、箱体内の部品が錆や電気的な接触不良等から安全に保護される。
【００２６】
請求項２記載の発明によれば、他方のカバーの延長リブがグロメットを押圧した際に、グロメットがグロメット嵌合部内で圧縮されてグロメット嵌合部の内壁面に強く密着するから、防水性が一層向上し、請求項１記載の発明の効果が促進される。
【００２７】
請求項３記載の発明によれば、グロメットが延長リブによる押圧直交方向に圧縮されて、グロメットの前端面すなわち外部から箱体内に水が浸入する側の部分がグロメット嵌合部の前端面に強く密着するから、防水性が向上し、請求項１記載の発明の効果が促進される。
【００２８】
請求項４記載の発明によれば、硬質のインナ部材によって延長リブによるグロメットの押圧方向の撓み変形が小さく抑えられ、延長リブとグロメットとが一層強く密着することで、請求項１記載の発明の効果が促進される。
【００２９】
請求項５記載の発明によれば、延長リブによるグロメットの圧縮力をインナ部材のリブが受け止めてグロメットの圧縮反力でグロメットの前端面すなわち外部から箱体内に水が浸入する側の部分をグロメット嵌合部の前端面に強く当接させるから、防水性が一層向上し、請求項１記載の発明の効果が促進される。
【００３０】
請求項６記載の発明によれば、延長リブがグロメットを押圧した際に、延長リブに隣接するグロメット部分が押圧反対方向に盛り上がり、防水パッキンに強く密着することで、防水パッキンによる防水性が向上し、請求項１記載の発明の効果が促進される。
【００３１】
請求項７記載の発明によれば、箱体内のリレーやヒューズやヒュージブルリンク等の電気部品や、回路基板やバスバー等の回路等が確実に防水されて電気的接続の信頼性が長期間に渡って確保される。
【発明を実施するための最良の形態】
【００３２】
図１〜図３は、防水グロメットの取付構造とそれを備えた電気接続箱の一実施形態を示すものである。
【００３３】
図１において符号２は合成樹脂製のロアカバー、鎖線で示す符号３は、合成樹脂製のアッパカバー、符号４は、ロアカバー２の開口部５に嵌合された合成ゴム製の弾性の防水グロメット（以下グロメットと言う）をそれぞれ示している。図２は図１のＡ−Ａ断面図、図３は図２の要部Ｂ拡大図である。
【００３４】
ロアカバー２とアッパカバー３とで略矩形状の箱体６が構成され、ロアカバー内にリレーやヒューズやヒュージブルリンクといった電気部品（図示せず）が装着されて電気接続箱１が構成される。ロアカバー２にアッパカバー３が係止ないし固定手段で固定され、ロアカバー２のブラケット（図示せず）が車両ボディの例えばエンジンルーム等に固定される。
【００３５】
グロメット４は水平方向の蛇腹部７と、蛇腹部７の先端側に続く小径な筒状部（図示せず）と、蛇腹部７の基端側に形成された垂直方向の鍔部８とで構成されている。蛇腹部内を図示しないワイヤハーネス（複数本の電線）が屈曲自在に挿通されてアンダカバー側の各電気部品等に接続されると共に、グロメット先端側の筒状部で例えばテープ巻き等で防水されつつ固定される。
【００３６】
図３の如く、鍔部８は水平方向の真直な上端壁９を有し、上端壁９の平坦な上端面９ａに、アッパカバー３に押接する垂直な前側のリブ（リップ）１０と、アッパカバー３に装着された防水パッキン１１に押接する垂直な後側のリブ１２とを有している。前側のリブ１０は後側のリブ１２よりも細く、テーパ状に先細となっている。後側のリブ１２はほぼ真直に突出し、先端に断面半円状の曲面を有している。両リブ１０，１２の突出高さは同程度である。
【００３７】
前側のリブ１０の先端部はアッパカバー３の水平な壁部１３の内面に押圧されて適度な密着代を有し、アッパカバー３の内面と鍔部８の上端面９ａとの間には僅かな隙間１４が形成されている。後側のリブ１２はほぼ全長に渡ってアッパカバー側のパッキン１１の内部に入り込んでいる。パッキン１１の前端面の下半部は隙間１４内に露出している。鍔部８の前端面１５には水平方向の小さなリブ（リップ）１６が突出形成されてアッパカバー３の前端壁（外側壁）１７の内面である前端面１７ａに密着している。
【００３８】
後側のリブ１２の後方において後側のリブ１２と鍔部８の後端面１８との間で、パッキン１１の後側に隣接してアッパカバー３の垂直な壁部１９が鍔部８の上端面９ａよりも下側に長くリブ状に延長（突出）形成されて、その延長リブ２０が鍔部８の上端面９ａを下向きに押圧して鍔部８の内部に入り込んでいる（食い込んでいる）。
【００３９】
延長リブ２０の体積分だけ鍔部８が下向き及び前向きに圧縮され、鍔部８がアッパカバー３の垂直な前端壁１７の内面と下側の合成樹脂製の硬質のインナー部材２１とに強く密着する。また、延長リブ２０が鍔部８に強く密着する。これらにより、アッパカバー３とグロメット４の鍔部８との間における防水性が向上する。
【００４０】
インナー部材２１は略環状に形成され、グロメット４の鍔部８に対応する上壁２２が水平に真直に形成され、上壁２２に、鍔部８の前側のリブ１０のほぼ下側に入り込んだ垂直なリブ２３と、鍔部８の後端面１８に当接する垂直なリブ２４とを有し、この前後のリブ２３，２４の間に溝２５が形成され、溝内に鍔部８の後半部が嵌合し、前側のリブ２３とアッパカバー３の前端壁１７との間に鍔部８の垂直な前端部２５が密着して位置し、前端部２５は水平な蛇腹部７（図２）に続いている。
【００４１】
インナー部材２１の後側のリブ２４は前側にリブ２３よりも少し高く突出し、後側のリブ２４の先端の前側上方に少しの距離をおいてアッパカバー３の延長リブ２０の先端が位置している。このように延長リブ２０がインナー部材２１の後側のリブ２４に近接しているから、延長リブ２０で圧縮されたグロメット４の鍔部８は後方ではなく前方すなわち防水の必要な部分に向けて弾性変形し、アッパカバー３の前端壁１７の内面に鍔部８の前端面１５が強く密着する。これにより、前述の如く防水性が向上する。
【００４２】
図１，図２においてグロメット４の鍔部８は下端部及び両側部において外向きに突出し、鍔部８の外周にロアカバー２のガイド壁２６が嵌合して位置し、ガイド壁２６の最下部にはエア抜き兼水抜き孔２７が設けられ、ガイド壁２６の内面には短いリブ２８が周設されて鍔部８の外周の溝２９に係合密着し、溝２９は鍔部８の上端の後側のリブ１２とほぼ同一垂直面に位置している。鍔部８の下端部及び両側部の内周面にはインナ部材２１の外周面が密着し、インナ部材２１の前側のリブ２３が鍔壁８の溝３０に嵌合し、後側のリブ２４が鍔部８の後端面１８に密着すると共に、下端部においてロアカバー２の係止枠片３１に後側のリブ２４の係合突起３２が係合している。
【００４３】
図４はグロメットの正面図、図５は同じくの上面図をそれぞれ示すものである。
【００４４】
図４の如くグロメット４は従来同様に半円状の下半部と矩形状の上半部とを一体化させた形状を呈し、下半部及び両側部がロアカバー２（図２）の開口部内に嵌合し、上端部がアッパカバー３（図２）で密着される。符号７は蛇腹部、３３は先端側の筒状部、１０は前側のリブ、９ａは上端面、１６は正面側のリブ（リップ）をそれぞれ示している。
【００４５】
図５の如くグロメット４の上端面９ａにおいて前後のリブ１０，１２が平行に突出形成され、前後のリブ１０，１２はグロメット４の両側端において連結リブ３４で一体に連結されて略矩形ループ状に繋がっている。後側のリブ１２の後方に上端面９ａの一部である平坦な面９ａ’が位置し、この面９ａ’に図３のアッパカバー３の延長リブ２０が押接される。
【００４６】
図６はロアカバーの正面図，図７は図６ののＣ−Ｃ断面図をそれぞれ示すものである。
【００４７】
ロアカバー２の垂直な外周壁３５に開口部５が設けられ、開口部５の周囲に略Ｕ字状のガイド壁（グロメット嵌合部）２６が設けられ、ガイド壁２６の内側に溝部３６が設けられ、溝部内にグロメット４（図４）の鍔部８の下半部及び両側部が上方からスライド式に嵌合されて密着する。本例のガイド壁２６の上端２６ａは外周壁３５よりも少し低く位置し、ガイド壁２６の上側にグロメット４の上部が突出して位置する。ガイド壁２６の内側には前記リブ２８や係止枠片３１等が形成されている。
【００４８】
図８はアッパカバーの正面図、図９は同じく下方視平面図、図１０は図８のＤ−Ｄ断面図をそれぞれ示すものである。
【００４９】
アッパカバー３の垂直な外周壁１９にガイド壁（グロメット嵌合部）３７が下向きに略コの字状に短く突出され、且つ外周壁１９から前向きに突出されている。ロアカバー２にアッパカバー３を組み付けると同時に、アッパカバー３のガイド壁３７がロアカバー側のガイド壁２６と接合（合体）して、グロメット４の上部が上側のガイド壁３７の内側にスライド式に嵌合する。
【００５０】
ガイド壁３７は断面略Ｌ字状の両側の下半部３８と、左右、前、上の三方を封止された上半部３９とで構成され、上半部３９の内側にグロメット４の鍔部８の上端部を嵌合させる溝４０が設けられ、溝４０に隣接してガイド壁３７の内側でパッキン１１を嵌合する溝４１が設けられ、溝４１の内側に、グロメット４に押接する延長リブ２０が垂下形成され、延長リブ２０は外周壁１９の内面とほぼ同一面に位置している。延長リブ２０は外周壁１９に沿って水平方向に周状に続き、グロメット４の上端面９ａを横断しつつ上端面９ａに押接する。延長リブ２０の作用効果は前述の通りである。ガイド壁３７の下端部４２はロアカバー２のガイド壁２６の外側に被さるように位置する。
【００５１】
なお、上記実施形態においては、アッパカバー３とロアカバー２とで箱体６を構成したが、例えばアッパカバーとミドルカバーとロアカバーとで箱体を構成し、ロアカバーに開口部５とガイド壁２６を設け、ミドルカバーに上側のガイド壁３７や延長リブ２０を設けることも可能である。
【００５２】
また、アッパカバーないしミドルカバーに開口部５やガイド壁２６を設け、グロメット４を上下反転して上側の開口部５に嵌合させ、ロアカバーに延長リブ２０等を設けることも可能である。
【００５３】
また、アッパカバー３の延長リブ２０をグロメット４の上端面９ａの後端寄りではなく例えば中央寄り（前後のリブ１０，１２の間）や前寄り（前側のリブ１４の前方）に対向して設けることも可能である。この場合、パッキン嵌合溝４１を構成する後端壁４３（図３）はグロメット４の上端面９ａに接触ないし非接触で位置する。
【００５４】
また、グロメット内の硬質のインナ部材２１を廃除して、例えばグロメット自体の剛性を高めたものを使用することも可能であり、この場合においても、カバー３の延長リブ２０がグロメット内に食い込んで密着し、防水性を高める。また、インナ部材２１をグロメット４にインサート成形等で一体に形成することも可能である。
【００５５】
また、グロメット４として蛇腹部７のないものを使用することも可能である。この場合、例えば鍔部８に小径の筒状部３３（図４）が一体に続き、筒状部３３に電線がテープ巻き等で固定される。
【００５６】
また、上記実施形態においては、アッパカバー３にグロメット嵌合部であるガイド壁３７を設けたが、ガイド壁３７の垂直な前端壁１７を廃除して水平な上壁１３側のみでグロメット４の鍔部８の上端部に押接させることも可能である。この場合でも、上壁１３には延長リブ２０が突設されることは言うまでもない。パッキン１１は有るに越したことはないが、ない場合でも延長リブ２０によってかなりのシール性が発揮される。また、グロメット４の鍔部８の前端面１５のリブ１６を廃除して前端面１５を直接にアッパカバー３の前端面１７ａに密着させることも可能である。
【図面の簡単な説明】
【００５７】
【図１】本発明に係る防水グロメットの取付構造とそれを備えた電気接続箱の一実施形態を示す平面図である。
【図２】図１のＡ−Ａ断面図である。
【図３】図２のＢ部拡大図である。
【図４】グロメットを示す正面図である。
【図５】同じくグロメットを示す上面図である。
【図６】ロアカバーを示す正面図である。
【図７】図６のＣ−Ｃ断面図である。
【図８】アッパカバーを示す正面図である。
【図９】同じくアッパカバーを示す下方視平面図である。
【図１０】図８のＤ−Ｄ断面図である。
【図１１】従来の防水グロメットの取付構造とそれを備えた電気接続箱の一形態を示す分解斜視図である。
【図１２】同じく組立状態を示す縦断面図である。
【符号の説明】
【００５８】
１            電気接続箱
２            ロアカバー
３            アッパカバー
４            防水グロメット
５            開口部
６            箱体
９ａ          上端面
１１          防水パッキン
１５，１７ａ  前端面
１８          後端面
２０          延長リブ
２１          インナ部材
２４          リブ
３７          ガイド壁（グロメット嵌合部）
【図１】
2006129545.tif 000003
【図２】
2006129545.tif 000004
【図３】
2006129545.tif 000005
【図４】
2006129545.tif 000006
【図５】
2006129545.tif 000007
【図６】
2006129545.tif 000008
【図７】
2006129545.tif 000009
【図８】
2006129545.tif 000010
【図９】
2006129545.tif 000011
【図１０】
2006129545.tif 000012
【図１１】
2006129545.tif 000013
【図１２】
2006129545.tif 000014